(57)【要約】      （修正有）【課題】細菌の繁殖、バイオフィルムの形成を防止する衛生的なレンズケアを可能とし、しかも携帯に便利なレンズ洗浄液入り容器、コンタクトレンズ収納用品、及びコンタクトレンズ洗浄セットを提供すること。【解決手段】コンタクトレンズ収納用品は、容器部４と、該容器部を密封し閉蓋しうる蓋体５とを具え、かつ前記容器部と前記蓋体とに、開蓋により破損し、再度の密封した閉蓋を不能とする解除機能付係止手段６を設けたことを特徴とするコンタクトレンズ洗浄セットと、前記解除機能付係止手段は、前記容器部又は蓋体の一方に設ける受部７と、他方に設けた係合片８とからなり、該係合片は前記受部に係合した後に蓋体を開けると、蓋体又は容器部から離脱し、これにより前記蓋体再度容器部を密封できないことを特徴とするコンタクトレンズ収納用品。【選択図】図６
2005121907.tif 000002
【特許請求の範囲】
【請求項１】
コンタクトレンズを洗浄するレンズ洗浄液を、一度の使用により使用する一回量のみが容器体に収納されてなるレンズ洗浄液入り容器。
【請求項２】
前記容器体は、使用済みのレンズ洗浄液を容器内に戻すこと、乃至洩れ不能に閉じることが実質的に不可能な、レンズ洗浄液取出し用の開封手段を具えることを特徴とする請求項１記載のレンズ洗浄液入り容器。
【請求項３】
請求項１又は２のレンズ洗浄液入り容器、及びこのレンズ洗浄液入り容器から取り出した一回量のレンズ洗浄液と、洗浄するコンタクトレンズとを収納する容器部を具えたコンタクトレンズ収納用品からなるコンタクトレンズ洗浄セットであって、
コンタクトレンズ収納用品は、前記容器部と、該容器部を密封し閉蓋しうる蓋体とを具え、
かつ前記容器部と前記蓋体とに、開蓋により破損し、再度の密封した閉蓋を不能とする解除機能付係止手段を設けたことを特徴とするコンタクトレンズ洗浄セット。
【請求項４】
前記解除機能付係止手段は、前記容器部又は蓋体の一方に設ける受部と、他方に設けた係合片とからなり、該係合片は前記受部に係合した後に蓋体を開けると、蓋体又は容器部から離脱し、これにより前記蓋体は再度容器部を密封できないことを特徴とする請求項３記載のコンタクトレンズ収納用品。
【請求項５】
前記容器部は、収納したコンタクトレンズの一方縁部を押し下げると他方縁部が起き上がることによりコンタクトレンズの取出しを容易とする凸状部を底部で前記容器部内に隆起させたことを特徴とする請求項３又は４記載のコンタクトレンズ収納用品。
【請求項６】
前記容器部は、左右のコンタクトレンズを収納するため連結部を介して連結され２個一対をなし、前記蓋体はヒンジ手段を介して容器部に取付けられたことを特徴とする請求項３〜５のいずれかに記載のコンタクトレンズ収納用品。
【発明の詳細な説明】
【技術分野】
【０００１】
本発明は、コンタクトレンズの洗浄に用いるレンズ洗浄液入り容器、コンタクトレンズをレンズ洗浄液とともに収納保存するコンタクトレンズ収納用品、及び前記レンズ洗浄液入り容器とコンタクトレンズ収納用品からなるコンタクトレンズ洗浄セットに関する。
【背景技術】
【０００２】
使い捨てコンタクトレンズは別とし、再使用可能なコンタクトレンズにおいては、細菌汚染に基づく感染症など重大な病気から装用者の眼球を守るため、常に清潔に保つためのケアが求められている。従来よりコンタクトレンズを収納保存する際、例えば図１３に示すように、左右のコンタクトレンズを各々レンズ洗浄液とともに収納し、ネジ蓋ａで密閉できる収納容器ｂが市販され、広く使用されている（例えば、特許文献１参照）。また、このほかにも各種のコンタクトレンズ収納容器が提案されている（例えば特許文献２参照）。そして、レンズケアの方法は、コンタクトレンズを外したのち、新しいレンズ洗浄液の入った収納容器ｂ中にコンタクトレンズを浸漬し、ネジ蓋ａで収納容器ｂを密封する方法が採られている。
【０００３】
【特許文献１】特開２００２−６２７４号公報
【特許文献２】特開２００２−３０６２２７号公報
【発明の開示】
【発明が解決しようとする課題】
【０００４】
しかしながら、前記レンズ洗浄液は、２週間から１ヶ月分程度の容量の保存容器ｃに入って販売されているため、封を切った保存容器ｃ内に雫の飛び跳ねなどによって細菌が侵入すると、レンズ洗浄液自体が汚染され、洗浄効力が低下する場合がある。更には、一度使用したレンズ洗浄液を使用者が誤って再度保存容器ｃに戻すと、残ったレンズ洗浄液全体に細菌が繁殖する可能性がある。しかも大容量の保存容器ｃは、携帯に不便なため、旅行先などではコンタクトレンズを洗浄することなく収納保存し、前記収納容器ｂ内のレンズ洗浄液も交換されず繰返し使用されることが多い。
【０００５】
また前記収納容器ｂは開閉自在のネジ蓋ａを具えるため、何度も使用することができ、続けて使用していると沈殿物が付着し、細菌が繁殖しやすくなる。そして細菌同士が凝集し、収納容器ｂに細菌がこびりついた状態であるバイオフィルムが形成されると、このバイオフィルムが鎧の役割を果たして、その内部の細菌は抗菌剤から守られるため、殺菌、除菌が非常に困難となり、収納容器ｂ内のレンズ洗浄液の効力が低下する場合がある。このように、収納容器ｂにバイオフィルムが形成されると、レンズ自体をいくらケアしても、バイオフィルムの中に生き残った細菌がコンタクトレンズに付着し、眼球内で感染症を引き起こすケースの多いことが判明したため、コンタクトレンズメーカー、その販売店、眼科医は、コンタクトレンズの収納容器ｂは、毎日洗浄、乾燥し、定期的に新品と交換すること、またレンズ洗浄液の入った保存容器ｃは細菌が入らないように清潔に取り扱う旨の注意事項を繰返し喚起している。
【０００６】
しかし、コンタクトレンズ装用者は、抗菌性のあるレンズ洗浄液及びこのレンズ洗浄液が充填された収納容器ｂ内部は、当然清潔であるとの固定観念が強いこともあり、前記取り扱いに関するアピールは浸透していない。しかもコンタクトレンズを保管する度、収納容器ｂをレンズ洗浄液で洗浄、乾燥することは面倒な作業であるため、たとえコンタクトレンズ自体のケアは毎日行っていても、目視で汚れが確認できた場合を除き、収納容器ｂのケアを毎回おこなう人は殆どいないのが現状である。
【０００７】
本発明は、前記したコンタクトレンズの収納保存上の問題点を解消し、細菌の繁殖、バイオフィルムの形成を防止する衛生的なレンズケアを可能とし、しかも携帯に便利なレンズ洗浄液入り容器、コンタクトレンズ収納用品、及びコンタクトレンズ洗浄セットの提供を課題としている。
【課題を解決するための手段】
【０００８】
前記目的を達成するために、請求項１記載の発明は、コンタクトレンズを洗浄するレンズ洗浄液を、一度の使用により使用する一回量のみが容器体に収納されてなるレンズ洗浄液入り容器である。
【０００９】
また請求項２記載の発明は、前記容器体は、使用済みのレンズ洗浄液を容器内に戻すこと、乃至洩れ不能に閉じることが実質的に不可能な、レンズ洗浄液取出し用の開封手段を具えることを特徴とする請求項１記載のレンズ洗浄液入り容器である。
【００１０】
また請求項３記載の発明は、請求項１又は２のレンズ洗浄液入り容器、及びこのレンズ洗浄液入り容器から取り出した一回量のレンズ洗浄液と、洗浄するコンタクトレンズとを収納する容器部を具えたコンタクトレンズ収納用品からなるコンタクトレンズ洗浄セットであって、コンタクトレンズ収納用品は、前記容器部と、該容器部を密封し閉蓋しうる蓋体とを具え、かつ前記容器部と前記蓋体とに、開蓋により破損し、再度の密封した閉蓋を不能とする解除機能付係止手段を設けたことを特徴とするコンタクトレンズ洗浄セットである。
【００１１】
また請求項４記載の発明は、前記解除機能付係止手段は、前記容器部又は蓋体の一方に設ける受部と、他方に設けた係合片とからなり、該係合片は前記受部に係合した後に蓋体を開けると、蓋体又は容器部から離脱し、これにより前記蓋体は再度容器部を密封できないことを特徴とする請求項３記載のコンタクトレンズ収納用品である。
【００１２】
また請求項５記載の発明は、前記容器部は、収納したコンタクトレンズの一方縁部を押し下げると他方縁部が起き上がることによりコンタクトレンズの取出しを容易とする凸状部を底部で前記容器部内に隆起させたことを特徴とする請求項３又は４記載のコンタクトレンズ収納用品である。
【００１３】
また請求項６記載の発明は、前記容器部は、左右のコンタクトレンズを収納するため連結部を介して連結され２個一対をなし、前記蓋体はヒンジ手段を介して容器部に取付けられたことを特徴とする請求項３〜５のいずれかに記載のコンタクトレンズ収納用品である。
【発明の効果】
【００１４】
本発明のレンズ洗浄液入り容器は、叙上の如く、一回量のレンズ洗浄液のみを収納し、必ず使い捨てされるため、使用の度新たに開封され、無菌のレンズ洗浄液を使用する結果、レンズ洗浄液からの細菌汚染を防止できる。また小容量のレンズ洗浄液入り容器は、携帯に便利なため、旅行など出先におけるコンタクトレンズのケアを容易とする。
【００１５】
また本発明のコンタクトレンズ収納用品は、叙上の如く、レンズ洗浄液とコンタクトレンズを収納する容器部を密閉する蓋体が、開蓋により破損して再度の密閉を不能とする解除機能付係止手段を具えるため、装用者は一度使用することにより物理的に再使用できなくなり、使い捨てせざるを得ない。その結果、コンタクトレンズは毎回常に新しい容器に収納保存されることになり、衛生的な状態が維持され、バイオフィルムが形成されることもない。
【００１６】
また本発明のコンタクトレンズ洗浄セットは、叙上の如く、一回量のレンズ洗浄液のみを収納したレンズ洗浄液入り容器と、解除機能付係止手段を具えたコンタクトレンズ収納用品からなるため、レンズ洗浄液からの細菌汚染が防止されるとともに、一回毎に使い捨てされて必ず新しいコンタクトレンズ収納用品内にコンタクトレンズが収納保存されるため、細菌の繁殖、バイオフィルムの形成が防止され、またコンパクトなセットとして、携帯にも便利であり、出先でもコンタクトレンズのケアを簡単に行うことができる。
【発明を実施するための最良の形態】
【００１７】
以下、本発明の実施の一形態を、図示例とともに説明する。図１は本発明の一実施の形態を例示する斜視図である。本発明のコンタクトレンズ洗浄セットは、レンズ洗浄液Ｗを収納したレンズ洗浄液入り容器Ｖと、コンタクトレンズ収納用品Ｃとからなる。
【００１８】
前記レンズ洗浄液入り容器Ｖは、容器体２にレンズ洗浄液Ｗを収納して構成される。前記レンズ洗浄液Ｗは、例えばクラレメディカル株式会社製「フォレストリーフ」（登録商標）などを使用し、コンタクトレンズをケアする一回の量が容器体２に収納されている。その結果、レンズ洗浄液Ｗは、一度の使用で全て使い切ることとなり、前記レンズ洗浄液入り容器Ｖはその都度廃棄され、常に新しいレンズ洗浄液入り容器Ｖを使用するため、コンタクトレンズを衛生的にケアでき、感染症などを引き起すことがない。しかも、レンズ洗浄液入り容器Ｖがコンパクトになり、携帯に便利なため、旅行など出先でのレンズケアを容易に行なうことができる。
【００１９】
なお、前記レンズケアの一回の量は、一個のコンタクトレンズＬの洗浄に使用する量とする場合には、例えば３〜２０cm3 程度、好ましくは１０〜１５cm3 程度であり、左右のコンタクトレンズＬのケアに二個のレンズ洗浄液入り容器Ｖを必要とするが、片側のコンタクトレンズＬをケアのときも、使用後必ず廃棄される点で好ましい。また前記レンズケアの一回の量が、一対のコンタクトレンズＬの洗浄に使用する量とする場合には、例えば５〜４０cm3 程度、好ましくは１５〜３０cm3 程度であり、レンズ洗浄液入り容器Ｖの取扱いが簡単になる点で好ましい。
【００２０】
前記レンズ洗浄液Ｗを収納する容器体２は、図１に示すように、両端を塞いだ略円筒状の本体筒部２ａと、該本体筒部２ａの内部に連通しその一端側に同軸に形成された略円筒状の第一の絞り部２ｂと、該第一の絞り部２ｂに外端で繋がり、かつ先端にノズルＮを有する円錐状の第ニの絞り部２ｃとからなる。前記ノズルＮは、その先端に弾頭状の栓２１が一体に形成され、使用前には該栓２１により閉塞している。そして、前記栓２１は、一体に設けたツマミ２１ａを摘んで折り曲げることにより、前記第ニの絞り部２ｃと栓２１との間に形成され、薄肉にするための折り溝２２の部分で簡単に切り離され、ノズルＮが開口する。なお本形態では、前記ノズルＮと、栓２１と、ツマミ２１ａと、折り溝２２とで開封手段３を形成している。
【００２１】
前記栓２１は、一旦折り溝２２部分で切り離されると、再びノズルＮを閉塞することはできず、容器体２を洩れ不能に閉じることが実質的に不可能となる。その結果、例えレンズ洗浄液Ｗの残量があっても、これを保管できないため、廃棄せざるを得ず、常に新しいレンズ洗浄液入り容器Ｖを使用することになり、レンズケアを衛生的に行うことができる。なお本明細書で、「容器体２を洩れ不能に閉じることが実質的に不可能」とは、接着剤、粘着テープ、パテなど特殊な閉塞手段を用いる以外、単に切り離された栓２１のみでは密封できないこという。
【００２２】
また、前記ノズルＮは、内径が例えば０．５ｍｍ〜５ｍｍ程度、好ましくは１ｍｍ〜３ｍｍ程度に形成されるため、誤って使用済みのレンズ洗浄液Ｗを容器体２内に戻すことが実質的に不可能であり、レンズ洗浄液Ｗ再使用による細菌の汚染を防止しうる。なお本明細書で、「使用済みのレンズ洗浄液Ｗを容器体２内に戻すことが実質的に不可能」とは、スポイド、漏斗など特殊な液体注入手段を用いることなく、レンズ洗浄液Ｗを容器体２に戻すことが出来ないこという。
【００２３】
前記レンズ洗浄液入り容器Ｖは、本形態では、図１に示すように、１個のコンタクトレンズをケアする一回量のレンズ洗浄液Ｗを収納している。そして一対のコンタクトレンズは、通常同時にケアするため、一度に二個のレンズ洗浄液入り容器Ｖを使用することが多い。そこで図１に示すように、並列した二個の容器体２を継ぎ腕２３で連結して構成すると、ケア一回分をワンユニットとして取り扱いが行える点で好ましい。さらに、前記継ぎ腕２３に、分離用の切れ目２４を設けると、レンズ洗浄液入り容器Ｖを切り離して取り扱うこともでき、更に片側のコンタクトレンズのみを洗浄する場合には、未使用未開封のレンズ洗浄液入り容器Ｖを分離して保管することができる点で好ましい。
【００２４】
前記本体筒部２ａは、外側から押圧することにより容易に変形する可撓性を有し、内部に収納されたレンズ洗浄液Ｗは、前記変形によりノズルＮから外に注ぐことができる。そして前記容器体２は、ノズルＮを閉塞する栓２１、二個の容器体２を連結する継ぎ腕２３を含め、ポリプロピレン、ポリエチレン、ポリスチレン、ポリエチレンテレフタレート（ＰＥＴ）等のプラスチックで一体成形することができ、また本体筒部２ａはスチール、アルミニウムなどの金属を用いることもできる。
【００２５】
図１０に示すレンズ洗浄液入り容器Ｖは、有底円筒形状の容器体２に左右のコンタクトレンズＬに使用する一回量のレンズ洗浄液Ｗを収納して構成され、前記容器体２は、開口部２５を塞ぐ密閉膜２６からなる開封手段３を具えている。前記密閉膜２６は、アルミニウム、ポリエチレン、ポリ塩化ビニリデンなどのシート材を、前記開口部２５の縁部に接着して形成され、ツマミ片２７を引張って一度剥がすと接着力が低下し、再び開口部２５を密閉できないものである。
【００２６】
前記コンタクトレンズ収納用品Ｃは、図１、２、３に示すように、前記レンズ洗浄液入り容器Ｖから取り出したレンズ洗浄液ＷとコンタクトレンズＬとを収納する容器部４と、該容器部４を密閉する蓋体５とを具える。
【００２７】
前記容器部４は、内径が下方程小に形成された有底円筒状の本体部２８と、該本体部２８の開口縁から外側へ拡がり、本体部２８と一体に形成された環状の鍔部２９とからなり、左右のコンタクトレンズＬを収納するため、一対の容器部４、４が、双方の鍔部２９が互いに相手方向って伸びて連続した連結部１０により一体に連結されている。
【００２８】
前記容器体２は、その底部の中央をなだらかに隆起させ、中央を頂部とする凸状部９を設けている。これにより図５に仮想線で示すように、収納したコンタクトレンズＬを取り出す際、その一方縁部Ｌａを指で押し下げると、前記凸状部９に沿って他方縁部Ｌｂが起き上がり、該縁部Ｌｂを摘むことによりコンタクトレンズＬを容易に取り出すことができる。
【００２９】
前記一対の容器部４, ４は、前記鍔部２９の一部が各々同じ側に伸びた繋ぎ部３０を介して一対の蓋体５, ５と各々連結し、前記繋ぎ部３０は、その中間部下面に設けた溝により折れ曲がり可能な薄肉部３１が形成されている。そして前記蓋体５は、前記薄肉部３１を軸として回転自在に支持され、その回転の終端位置で前記容器部４を閉蓋する。なお本形態では、前記繋ぎ部３０、薄肉部３１がヒンジ手段１１を形成している。
【００３０】
また、前記繋ぎ部３０は、その蓋体５側の端部に一対の突片４１ａ, ４１ａを有し、該突片４１ａ, ４１ａは、蓋体５が容器部４を閉蓋するとき、前記繋ぎ部３０の容器部４に続く端部を両側から挟み込み、これにより蓋体５を位置決めするものであり、蓋体位置決め手段４１を形成している。
【００３１】
前記蓋体５は、前記容器部４の開口部と略同大で円盤状をなし、その外周部に前記鍔部２９と略同形の蓋鍔部３２を有する。また前記蓋体５は、前記繋ぎ部３０を介し容器体２と連結した側と反対側の縁部に、蓋体５の開閉時に指先で操作する操作部３３を具える。前記操作部３３は、蓋鍔部３２から蓋体５の裏面側（閉蓋時に容器体２の内側に向く側）へ小長さに延びる一対の突片３３ａ, ３３ａと、該突片３３ａ, ３３ａの先端間を繋ぎ、蓋体５と同心円状の環片３３ｂとからなる。前記環片３３ｂは、図５に示すように、閉蓋状態の蓋体５を開ける際、容器部４の鍔部２９と蓋体５の蓋鍔部３２の重なり部分３４から離れて位置するため、蓋体５を開閉操作する際に指が確実に掛かり、操作性が優れる点で好ましい。
【００３２】
また前記蓋体５は、本形態では、弾性材料で形成され、かつ図４、５に示すように、その外周縁よりも少し内側で、裏面側に突出する断面波状の環状突起３５を具える。他方前記容器体２は、鍔部２９の上面に環状の突部３６、及び容器体２の本体部２８の内周面２８ｉと鍔部２９とが交差するエッジ３７を有する。そして閉蓋時、前記蓋体５の環状突起３５が、容器体２の突部３６、及びエッジ３７に圧接することにより、密封性を高め、レンズ洗浄液Ｗの洩れを防止している。なお、前記蓋体５の環状突起３５と、容器体２の突部３６と、エッジ３７とで密封手段Ｓを形成している。
【００３３】
前記蓋鍔部３２は、図２、４に示すように、その中心ＣＮから繋ぎ部３０に向かう方向に対して各々略１２０度の方向に蓋広幅部３２ａ, ３２ａを設け、各蓋広幅部３２ａは、前記中心ＣＮを中心とした仮想円の接線に対し長辺が平行に配された蓋矩形孔３２ｂを有する。前記蓋矩形孔３２ｂは、その内側に直方体状のブロック片３９の基部３９ａが挿入され、該ブロック片３９は、その一側で外径が、例えば０．５〜２ｍｍ程度の細い紐状体３８ａからなる結合部３８を介して前記蓋矩形孔３２ｂに連結されている。なお前記ブロック片３９は、本形態では、弾性体で形成されるとともに、その先端側は、厚さ方向の中央に切り込み３９ｂを設けることにより間隔を隔てた二枚板状に形成され、かつ蓋体５の前記中心ＣＮに向う面に係止段部３９ｃを設け、更にその基部３９ａは絞り段部３９ｄを設けることにより先端側に比べて細く形成されている。
【００３４】
前記容器部４は、その鍔部２９に、蓋広幅部３２ａに向き合う、広幅部２９ａを具え、そして該広幅部２９ａ及び前記連結部１０には、前記蓋矩形孔３２ｂに向き合い、前記ブロック片３９が挿入しうる矩形孔４０, ４０が形成される。また前記矩形孔４０の本体部２８側の内側縁部には、前記ブロック片３９の係止段部３９ｃが係合する凸部４０ａが形成される。
【００３５】
しかして、本形態のコンタクトレンズ収納用品Ｃは、容器部４内にレンズ洗浄液ＷとコンタクトレンズＬとを収納し、蓋体５を前記ヒンジ手段１１を軸とし、容器部４に向け閉めると、図６（Ａ）、図７（Ａ）に示すように、容器部４の矩形孔４０に挿入されたブロック片３９の先端側は、矩形孔４０の縁部に押圧され、弾性に抗して切り込み３９ｂ側へ変形し、厚さ減じつつ進入する。そして図６（Ｂ）、図７（Ｂ）に示すように、ブロック片３９の先端が矩形孔４０の底部４０ｂに至ると、これと同時にブロック片３９の係止段部３９ｃは凸部４０ａを通過し、これにより前記切り込み３９ｂがブロック片３９の弾性により元の幅に復帰し、凸部４０ａに係止段部３９ｃが係合する。その結果蓋体５は、閉蓋状態でロックが掛かり、自然に開くことはない。またこのとき、容器部４は前記密封手段Ｓにより蓋体５で密封閉蓋され、コンタクトレンズＬは、レンズ洗浄液Ｗともに収納保存される。
【００３６】
そして、コンタクトレンズＬを使用する際、蓋体５を開く方向に力が加わると、凸部４０ａと係止段部３９ｃとが係合しているため、矩形孔３２ｂにブロック片３９を取付けている前記紐状体３８ａにその力が負荷し、図６（Ｃ）、図７（Ｃ）に示すように、紐状体３８ａが破断し、ブロック片３９は、容器部４の矩形孔４０内に残り、蓋体５だけが開く。その結果、蓋体５は再度容器部４の密封が不可能となり、一度使用したコンタクトレンズ収納用品Ｃは再使用できず、常に新しいものが使用されるため、コンタクトレンズＬのケアが衛生的となり、細菌の繁殖、バイオフィルムの形成が防止される。
【００３７】
本形態では、ブロック片３９、矩形孔４０が、各々係合片８、受部７を形成し、該係合片８と、受部７とで解除機能付係止手段６を構成している。なお、係合片８を容器部４に設け、受部７を蓋体５に設けてもよい。
【００３８】
なお前記コンタクトレンズ収納用品Ｃは、容器部４、蓋体５、そして連結部１０、繋ぎ部３０を含め、ポリプロピレン、ポリエチレン、ポリスチレン、ポリエチレンテレフタレート（ＰＥＴ）等のプラスチックを用い一体成形することができ、また容器部４、蓋体５はスチール、アルミニウムなどの金属を用いて形成することもできる。
【００３９】
本発明のコンタクトレンズ洗浄セットは、前記の如く、一回量のレンズ洗浄液Ｗを収納したレンズ洗浄液入り容器Ｖと、一度使用すると蓋体５により再度の密封が不可能な解除機能付係止手段６を具えたコンタクトレンズ収納用品Ｃとからなるため、レンズ洗浄液入り容器Ｖとコンタクトレンズ収納用品Ｃとが、共に一度の使用で廃棄され、常に新しいものが使用される結果、細菌の繁殖、バイオフィルムの形成を完全に防止でき、しかも携帯に便利なコンパクト化されたセットであるため、旅行先など出先でのレンズケアを容易とする。
【００４０】
前記コンタクトレンズ洗浄セットを使用するに際しては、先ず図８（Ａ）に示すように、レンズ洗浄液入り容器Ｖを開封して、レンズ洗浄液Ｗをコンタクトレンズ収納用品Ｃの容器部４に充填する。このとき、容器体２は、レンズ洗浄液Ｗが全て使用されるため、破棄される。次いで、図８（Ｂ）に示すように、保存するコンタクトレンズＬを前記容器部４に収納するが、コンタクトレンズＬを収納前に別途レンズ洗浄液Ｗで洗浄することも良い。次いで、図８（Ｃ）に示すように、蓋体５をヒンジ手段１１を介して、容器部４に向けて回転させ、次いで、図８（Ｄ）に示すように、蓋体５の蓋鍔部３２と容器部４の鍔部２９とが重なるまで蓋体５を回転させることにより容器部４は蓋体５によって閉蓋し密封される。このとき、解除機能付係止手段６の係合片８が受部７に係合して閉蓋状態が維持され、レンズ洗浄液Ｗは洩れることなく、コンタクトレンズＬは容器部４内で保存される。
【００４１】
コンタクトレンズ収納用品Ｃ内に保存されているコンタクトレンズＬを取り出すに際しては、図９（Ａ）に示すように、蓋体５の操作部３３を指Ｆで押し上げることにより、解除機能付係止手段６を破損し、蓋体５の容器部４に対する密封閉蓋状態を解除する。これにより、図９（Ｂ）に示すように、蓋体５はヒンジ手段１１を軸として簡単に開くことができ、コンタクトレンズＬを取り出して使用する。なお、使用済のコンタクトレンズ収納用品Ｃは、解除機能付係止手段６が破損し、再度密封できないため破棄される。
【００４２】
図１１、１２に示すコンタクトレンズ収納用品Ｃは、２個が連結される容器部４と、リング４２にアルミニウムフィルム４３が添着された蓋体５とからなる。前記容器部４は、その開口部内周面に内側に向け突出する環状の凸部４４を具え、前記リング４２は、その下面に前記凸部４４に係合する、外側に向け突出する環状の係止部４５を具える。なお該係止部４５は、その下面にテーパ面状のガイド部４５ａを有する。前記蓋体５は、図１２（Ａ）に示すように、容器部４に向け押圧されると、蓋体５の係止部４５は、前記凸部４４によりガイド部４５ａを押圧され、弾性によって内側に変形し、次いで図１２（Ｂ）に示すように、係止部４５が凸部４４に係合し、容器部４は蓋体５で閉蓋される。前記容器部４は、アルミニウムフィルム４３のツマミ４３ａを引張り、リング４２から剥がすことにより開蓋するが、アルミニウムフィルム４３の接着力は失われるため、再度密封することはできない。
【図面の簡単な説明】
【００４３】
【図１】本発明のコンタクトレンズ洗浄セットを例示する斜視図である。
【図２】本発明のコンタクトレンズ収納用品を例示する平面図である。
【図３】その正面図である。
【図４】その要部拡大斜視図である。
【図５】その使用状態を示す断面図である。
【図６】（Ａ）〜（Ｃ）はその動作を順番に示す要部断面図である。
【図７】（Ａ）〜（Ｃ）はその異なる方向から見た要部断面図である。
【図８】（Ａ）〜（Ｄ）は本発明のコンタクトレンズ洗浄セットを用い、コンタクトレンズを保存する手順を示す正面図である。
【図９】（Ａ）（Ｂ）はそのコンタクトレンズを取り出す手順を示す正面図である。
【図１０】本発明のコンタクトレンズ収納用品の異なる実施形態を例示する斜視図である。
【図１１】本発明のレンズ洗浄液入り容器の異なる実施形態を例示する斜視図である。
【図１２】（Ａ）（Ｂ）はその使用手順を例示する要部拡大断面図である。
【図１３】従来のコンタクトレンズ洗浄セットを例示する斜視図である。
【符号の説明】
【００４４】
２      容器体
３      開封手段
４      容器部
５      蓋体
６      解除機能付係止手段
７      受部
８      係合片
９      凸状部
１０      連結部
１１      ヒンジ手段
Ｃ      コンタクトレンズ収納用品
Ｌ      コンタクトレンズ
Ｖ      レンズ洗浄液入り容器
Ｗ      レンズ洗浄液
【図１】
2005121907.tif 000003
【図２】
2005121907.tif 000004
【図３】
2005121907.tif 000005
【図４】
2005121907.tif 000006
【図５】
2005121907.tif 000007
【図６】
2005121907.tif 000008
【図７】
2005121907.tif 000009
【図８】
2005121907.tif 000010
【図９】
2005121907.tif 000011
【図１０】
2005121907.tif 000012
【図１１】
2005121907.tif 000013
【図１２】
2005121907.tif 000014
【図１３】
2005121907.tif 000015